(57)【要約】【課題】適度なクッション性が得られ、頭部や頚椎が自然な状態で支持されるとともに、頭部や首筋が圧迫されるのを抑制し、また、内部に熱がこもるような不具合のない枕を提供する。【解決手段】芯材２の上面と下面にクッション層３を積層した枕１を構成し、芯材２として、連続気泡のフォーム材６の周囲に気密性シート素材５ａ、５ｂを接着して密封包囲し、且つ所定部位に空気取り入れ口７を設けたものにするとともに、クッション層３として、高通気性素材のポリウレタンフォームを使用し、空気取り入れ口７からの空気の流通とフォーム材６の弾力性とのバランスによって適度なクッション性と荷重分散性が得られるようにする。【選択図】　　　図３
2004089594.tif 000002
【特許請求の範囲】
【請求項１】
芯材の上面と下面にクッション層が積層される枕であって、前記芯材は、連続気泡のフォーム材の周囲に気密性シート素材が接着されて密封包囲され、且つ所定部位に空気取り入れ口が形成されたものであり、前記クッション層はポリウレタンフォームであることを特徴とする枕。
【請求項２】
前記クッション層のポリウレタンフォームは高通気性素材であることを特徴とする請求項１に記載の枕。
【発明の詳細な説明】
【０００１】
【発明の属する技術分野】
本発明は、頭の重さを均等に分散し、頭部や首筋への圧迫を抑制するのに効果的な枕に関する。
【０００２】
【従来の技術】
従来、枕の芯材としては、ソバガラやパンヤや羽毛や合成樹脂フォーム等の各種材料を使用したものが知られており、また、快適なクッション性を得るため、弾性率等の異なる複数の材料を積層した枕も知られている。（例えば、特許文献１参照。）。
【０００３】
【特許文献１】
実開平６−１７５５９号公報
【０００４】
【発明が解決しようとする課題】
ところで、枕の条件としては、適度なクッション性が得られるとともに、頭部や頚椎が自然な状態で支持され、頭部や首筋が圧迫されることのないようにすることが好ましい。
この際、頭の重さが均等に分散され、また湿気や熱を発散できれば一層好ましい。
【０００５】
そこで本発明は、適度なクッション性が得られ、頭部や頚椎が自然な状態で支持されるとともに、頭部や首筋が圧迫されるのを抑制し、また、頭の重さを均等に分散させ、更に湿気や熱がこもるような不具合のない枕を提供することを目的とする。
【０００６】
【課題を解決するための手段】
上記目的を達成するため本発明は、芯材の上面と下面にクッション層が積層される枕において、前記芯材として、連続気泡のフォーム材の周囲に気密性シート素材を接着して密封包囲し、且つ所定部位に空気取り入れ口を設けて構成するようにし、前記クッション層をポリウレタンフォームとした。
【０００７】
このように、芯材として、連続気泡のフォーム材の周囲に気密性シート素材を接着して密封包囲し、所定部位に空気取り入れ口を設けて構成し、この空気取り入れ口を開放状態にして使用すれば、例えば寝返り等によって頭の位置を移動させた場合、移動直後は、空気取り入れ口からの空気の流通と芯材のフォーム材の弾力性によって芯材として適度なクッション性が発揮されるようになり、しかも沈み込んだ後でも底付き感がない。
また、荷重がかからなくなった芯材部分は、フォーム材の弾力性により空気を吸い込んで復元するため、常に頭部や頚椎を自然な状態で支持できる。
【０００８】
ここで、連続気泡のフォーム材の周囲に気密性シートを接着して密封包囲し、所定箇所に空気取り入れ口を形成した芯材としては、例えば本出願人の提案に係る特許第２９８７０３６号のような自己膨張型のフォーム包囲体等が適用可能であり、連続気泡のフォーム材としては、例えば引張り強度０．５ｋｇ／ｃｍ２以上、伸び率１５０％以上、引き裂き強度０．２０ｋｇ以上、反発弾性３０％以上の特性を有するウレタン、ポリエステル、ＰＶＣ、ポリエチレン、ポリブタジエン、ラバー等のフォーム材が使用できる。また、気密性シート素材としては、塩ビや、ポリエチレンや、ポリアセテートや、ポリビニルアルコール等のシートが好適であり、これらを接着する接着剤としては、エポキシ系、アクリル系、ゴム系、ウレタン系等の公知の熱硬化型接着剤が好適である。
【０００９】
また、クッション層にポリウレタンフォームを使用することにより、感触性が良好となってソフト感が得られる。
この際、このポリウレタンフォームを、例えば、ＪＩＳ　Ｋ　６４００（１９９７）のＡ法で測定した反発弾性率が１〜２０％程度の低反発ポリウレタンフォームとすれば、荷重をより均等に分散させることが出来、頭部や首筋が圧迫されにくくなって好ましい。
【００１０】
また本発明では、前記クッション層のポリウレタンフォームを高通気性素材にするようにした。
このように、クッション層のポリウレタンフォームを高通気性素材にすれば、枕に汗の湿気や熱がこもることなく爽快感が得られる。
【００１１】
ここで、高通気のポリウレタンフォームとしては、ＪＩＳ　Ｋ　６４００（１９９７）のＢ法に準拠する方法で測定した通気度が１〜４．７ｄｍ３／ｓのものをいい、例えば本出願人の提案に係る特願２００２−１９４１３２号のようなポリウレタンフォームが適用可能である。
【００１２】
【発明の実施の形態】
本発明の実施の形態について添付した図面に基づき説明する。
ここで、図１は本発明に係る枕の構成例を示す斜視図、図２は同枕の内部構造を示す分解斜視図、図３は同枕の断面図、図４は芯材の成形要領の一例の説明図である。
【００１３】
本発明に係る枕は、適度なクッション性が得られて、頭部や頚椎が自然な状態で支持されるとともに、頭部や首筋が圧迫されるのを抑制し、また、荷重を均等に分散させることが出来るようにされている。
【００１４】
すなわち、本枕１は、図１乃至図３に示すように、芯材２の上面と下面にクッション層３が積層され、周囲が側生地４で覆われるような枕１において、前記芯材２を自己膨張型のフォーム包囲体とし、クッション層３をポリウレタンフォームとしている。
【００１５】
前記芯材２は、本実施例の場合、本出願人の提案に係る特許第２９８７０３６号のフォーム包囲体を使用しており、表裏２枚の気密性シート素材５ａ、５ｂで、連続気泡のフォーム材６を挟み込むように密封包囲するとともに、気密性シート素材５ａ、５ｂとフォーム材６の接触面を全域に亘って接着し、所定箇所に空気取り入れ口７を形成したものである。
【００１６】
以下、その構造の理解を容易にするため、芯材２の製造方法の一例について図４に基づき説明すると、ロール１１、１２から送り出される気密性シート素材５ａ、５ｂの片面側全域に、接着剤塗布ローラ１３により熱硬化型接着剤を塗布し、その下流で、接着剤塗布面より幅狭なフォーム材６を所定間隔置きに連続的に投入し、ラミネートローラ１４によって、フォーム材６が挟まれた状態のラミネート品を製造する。そして、このように連続的に成形されるラミネート品が所定間隔置きに裁断されると、上下の気密性シート素材５ａ、５ｂによってフォーム材６が包み込まれるとともに、フォーム材６と気密性シート素材５ａ、５ｂの接触面が全域に亘って接着され、また、フォーム材６の外側部分で気密性シート素材５ａ、５ｂ同士が接着されて内部が密封包囲されるフォーム包囲体が得られる。
【００１７】
次いで、気密性シート素材５ａ、５ｂの周縁接着部の一部を部分的に切除し、必要に応じてパイプ等を使用して空気取り入れ口７を形成すると、それまで偏平状態に潰されていた連続気泡のフォーム材６は空気を吸って弾性力により自己膨張し、立体的な形状に変化する。
そしてこのような芯材２は、空気取り入れ口７からの空気の流通とフォーム材６の弾力性によって適度なクッション性が発揮されるようになり、荷重がかかって沈み込んだ後でも底付き感がない。また、それまでかかっていた荷重が抜けると、同部のフォーム材６は、空気を吸い込んで弾力性により復元する。
【００１８】
ここで、実施例の場合、連続気泡のフォーム材６としては、引張り強度０．６〜２ｋｇ／ｃｍ２、伸び率１５０〜２００％、引き裂き強度０．２７〜０．８ｋｇの特性を有する軟質ポリウレタンフォームを使用し、また、気密性シート素材５ａ、５ｂとしては、塩ビを使用するとともに、自己膨張した状態で、中央部分が若干窪んだ状態の芯材２が形成されるようにしている。
【００１９】
前記クッション層３は、高通気性のポリウレタンフォームを使用するようにしており、本実施例では、ＪＩＳ　Ｋ　６４００（１９９７）のＢ法に準拠する方法で測定した通気度が１〜４．７ｄｍ３／ｓのポリウレタンフォームとしている。
また、本実施例の場合、このポリウレタンフォームを、ＪＩＳ　Ｋ　６４００（１９９７）のＡ法に準拠する方法で測定した反発弾性率が１〜２０％の低反発ポリウレタンフォームにすることにより、荷重を一層分散させて頭部や首筋が圧迫されるのを防止できるようにしている。
【００２０】
因みに、このような高通気性の低反発ポリウレタンフォームとしては、例えば、一般の低反発ポリウレタンフォームの樹脂成分として配合処方されているポリオール成分とポリイソシアネート化合物のうち、ポリオール成分について、高分子量ポリオールに低分子量多価アルコールを添加した混合ポリオールとし、この混合ポリオール成分とポリイソシアネート化合物とを反応させて成形することができる。
【００２１】
そして、このようなクッション層３を芯材２の上下面に接着等によって積層一体化し、周囲に袋状の側生地４を被せる。
尚、本実施例では、クッション層３として低反発ポリウレタンフォームを使用しているが、前記芯材２の効果だけで優れたクッション性と荷重分散性が得られるため、クッション層３として、一般のポリウレタンフォームを使用することが出来る。
【００２２】
前記側生地４は、本実施例では、ソフトな感触で柔らかい肌触りが得られる細目のパイル織物としており、上記のように、クッション層３の上から包み込むように装着されている。
【００２３】
以上のような枕１の作用等について説明する。
例えば寝返り等によって枕１に対する頭の位置が変化すると、荷重がかかった箇所の芯材２は沈み込んで頭を支持するが、この際、頭を移動させた直後は、芯材２のフォーム材６の弾力性と、空気取り入れ口７からの空気の流通によって芯材２として適度なクッション性が得られる。そして、沈み込んだ後は、フォーム材６の弾性力により支持されるようになり、底付き感は生じない。
また、荷重が抜けた箇所の芯材２は空気を吸って元の状態に復元するため、常に頭部や頚椎を自然な状態で支持できる。
更に、クッション層３は通気性のある素材であるため、湿気が拡散するとともに熱がこもらず、快適に使用出来る。
【００２４】
この際、上記のような芯材２の代わりにクッション層３と同じような低反発ポリウレタンフォームを使用し、三層すべてを低反発ポリウレタンフォーム層にすると、荷重がかかった時の芯材２の沈み込み量が大きすぎて底付き感が生じるようになり、また、荷重が抜けた時の芯材２の復元が遅くなって、頻繁に寝返りをうつような場合には、クッション性が良くないことがあるが、本枕１はそのような不具合がない。
【００２５】
また、上面と下面のクッション層３をウレタンフォームにする代わりに、芯材２と同じような構成にし、三層すべてを芯材２と同じ構成にすると、感触性が悪くなるとともに、全体にやや硬めで柔らかさや肌触り性が劣るようになる。
【００２６】
ところで、以上のような芯材２のフォーム材６を製造する際、ポリオール成分に香料を添加することにより、フォーム材６に香りをつけると、例えば頭の位置を変化させたような場合に、空気取り入れ口７から香りが流れ出るようにすることが出来る。
そしてこのような香りとしては、例えば花の香りや木の香りなど、爽やかで気分が落ち着く香り等を添加しておけば、爽快な気分になり、安らかな就寝を誘うことができる。
【００２７】
尚、本発明は以上のような実施形態に限定されるものではない。本発明の特許請求の範囲に記載した事項と実質的に同一の構成を有し、同一の作用効果を奏するものは本発明の技術的範囲に属する。
例えば枕１の形状等は任意である。
【００２８】
【発明の効果】
以上のように本発明に係る枕は、芯材の上面と下面にクッション層を積層し、芯材として、連続気泡のフォーム材の周囲に気密性シート素材を接着して密封包囲し、且つ所定部位に空気取り入れ口を設けるとともに、クッション層をポリウレタンフォームとしたため、空気取り入れ口からの空気の流通と芯材のフォーム材の弾力性とのバランスによって芯材として適度なクッション性と荷重分散性が得られるようになり、しかも底付き感がない。
また、クッション層をポリウレタンフォームにすることで、ソフト性や感触性が良好となる。
この際、クッション層のポリウレタンフォームを高通気性素材にすれば、湿気が拡散されると同時に、枕に熱がこもることなく爽快感が得られる。
【図面の簡単な説明】
【図１】本発明に係る枕の構成例の斜視図
【図２】同枕の内部構造を示す分解斜視図
【図３】同枕の断面図
【図４】芯材の成形要領の一例の説明図
【符号の説明】
１…枕、２…芯材、３…クッション層、５ａ、５ｂ…気密性シート素材、６…フォーム材、７…空気取り入れ口。
【図１】
2004089594.tif 000003
【図２】
2004089594.tif 000004
【図３】
2004089594.tif 000005
【図４】
2004089594.tif 000006